(57)【要約】【課題】全体を一度に視認し難い表示部に表示されるオブジェクトの位置を的確に把握できるようにする。【解決手段】制御部１０１は、全体を一度に視認し難い表示部１２（曲面表示デバイス１２０）に表示される所定のオブジェクトを特定し、表示部において使用者が一度に視認できる表示領域外にある特定されたオブジェクトの位置を報知する。特定されたオブジェクトを報知するにあたり、刺激素子１３０によって使用者の体表面に刺激を与えるか、表示部に表示することで特定されたオブジェクトの位置を報知する。【選択図】図２
2018139143.tif 000002
【特許請求の範囲】
【請求項１】
全体を一度に視認し難い表示部を有する表示手段と、
前記表示手段で前記表示部に表示される所定のオブジェクトを特定する特定手段と、
前記表示部において使用者が一度に視認できる表示領域外にある前記特定手段で特定さ
れた前記オブジェクトの方向を示す表示を、使用者が一度に視認できる前記表示領域の一
部に示すことで特定された前記オブジェクトの位置を報知する報知手段と、
を備えたことを特徴とする携帯情報機器。
【請求項２】
全体を一度に視認し難い表示部を有する表示手段と、
前記表示手段で前記表示部に表示される所定のオブジェクトを特定する特定手段と、
前記表示部において使用者が一度に視認できる表示領域外にある前記特定手段で特定さ
れた前記オブジェクトの位置を報知する報知手段と、
を備え、
前記表示部が、使用者が一度に視認できる前記表示領域の一部に前記表示部の全体像を
示す縮小表示を行ない、
前記報知手段が、特定された前記オブジェクトの位置を前記縮小表示中に示すことで報
知することを特徴とする携帯情報機器。
【請求項３】
全体を一度に視認し難い表示部を有する表示手段と、
前記表示手段で前記表示部に表示される所定のオブジェクトを特定する特定手段と、
前記表示部において使用者が一度に視認できる表示領域外にある前記特定手段で特定さ
れた前記オブジェクトが擬似的に透けて見える表示で示すことで、特定された前記オブジ
ェクトの位置を報知する報知手段と、
を備えたことを特徴とする携帯情報機器。
【請求項４】
全体を一度に視認し難い表示部を有する表示手段と、
前記表示手段で前記表示部に表示される所定のオブジェクトを特定する特定手段と、
前記表示部において使用者が一度に視認できる表示領域外にある前記特定手段で特定さ
れた前記オブジェクトの位置を報知する報知手段と、
前記報知された位置に対する所定の操作を行うことで、画面を移動し、特定された前記
オブジェクトを前記表示部の所定の位置に表示する移動手段と、
を備えたことを特徴とする携帯情報機器。
【請求項５】
全体を一度に視認し難い表示部に表示される所定のオブジェクトを特定するステップと
、
前記表示部において使用者が一度に視認できる表示領域外にある特定された前記オブジ
ェクトの方向を示す表示を、使用者が一度に視認できる前記表示領域の一部に示すことで
特定された前記オブジェクトの位置を報知するステップと、
を含む携帯情報機器におけるオブジェクトの報知方法。
【請求項６】
全体を一度に視認し難い表示部に表示される所定のオブジェクトを特定するステップと
、
前記表示部において使用者が一度に視認できる表示領域外にある特定された前記オブジ
ェクトの位置を報知するステップと、
を含み、
前記表示部が、使用者が一度に視認できる前記表示領域の一部に前記表示部の全体像を
示す縮小表示を行ない、
前記報知するステップにおいて、特定された前記オブジェクトの位置を前記縮小表示中
に示すことで報知することを特徴とする携帯情報機器におけるオブジェクトの報知方法。
【請求項７】
全体を一度に視認し難い表示部に表示される所定のオブジェクトを特定するステップと
、
前記表示部において使用者が一度に視認できる表示領域外にある特定された前記オブジ
ェクトが擬似的に透けて見える表示で示すことで、特定された前記オブジェクトの位置を
報知するステップと、
を含む携帯情報機器におけるオブジェクトの報知方法。
【請求項８】
全体を一度に視認し難い表示部に表示される所定のオブジェクトを特定するステップと
、
前記表示部において使用者が一度に視認できる表示領域外にある特定された前記オブジ
ェクトの位置を報知するステップと、
前記報知された位置に対する所定の操作を行うことで、画面を移動し、特定された前記
オブジェクトを前記表示部の所定の位置に表示する移動ステップと、
を含む携帯情報機器におけるオブジェクトの報知方法。
【請求項９】
全体を一度に視認し難い表示部に表示される所定のオブジェクトを特定する機能と、
前記表示部において使用者が一度に視認できる表示領域外にある特定された前記オブジ
ェクトの方向を示す表示を、使用者が一度に視認できる前記表示領域の一部に示すことで
特定された前記オブジェクトの位置を報知する機能と、
を実現することを特徴とする携帯情報機器のプログラム。
【請求項１０】
全体を一度に視認し難い表示部に表示される所定のオブジェクトを特定する機能と、
前記表示部において使用者が一度に視認できる表示領域外にある特定された前記オブジ
ェクトの位置を報知する機能と、
を実現し、
前記表示部が、使用者が一度に視認できる前記表示領域の一部に前記表示部の全体像を
示す縮小表示を行ない、
前記報知する機能において、特定された前記オブジェクトの位置を前記縮小表示中に示
すことで報知することを特徴とする携帯情報機器のプログラム。
【請求項１１】
全体を一度に視認し難い表示部に表示される所定のオブジェクトを特定する機能と、
前記表示部において使用者が一度に視認できる表示領域外にある特定された前記オブジ
ェクトが擬似的に透けて見える表示で示すことで、特定された前記オブジェクトの位置を
報知する機能と、
を実現することを特徴とする携帯情報機器のプログラム。
【請求項１２】
全体を一度に視認し難い表示部に表示される所定のオブジェクトを特定する機能と、
前記表示部において使用者が一度に視認できる表示領域外にある特定された前記オブジ
ェクトの位置を報知する機能と、
前記報知された位置に対する所定の操作を行うことで、画面を移動し、特定された前記
オブジェクトを前記表示部の所定の位置に表示する移動機能と、
を実現することを特徴とする携帯情報機器のプログラム。
【発明の詳細な説明】
【技術分野】
【０００１】
本発明は、携帯情報機器、携帯情報機器におけるオブジェクトの報知方法、及び携帯情報機器のプログラムに関する。
【背景技術】
【０００２】
近年、ウェアラブルな携帯情報機器の一つとして、腕を取り巻く形状のリストバンド型のディスプレイ付携帯情報機器の開発が行われている。このような携帯情報機器において、ディスプレイの実装領域が腕の半周以上にわたって設けられている場合、使用者の観点からは、腕に隠れる表示領域が発生するため、ディスプレイ全体を一度に視認することができなくなる。このため、使用者は、ディスプレイに表示されているオブジェクトの位置をはじめとする表示内容の全体像が把握できず、操作性が悪くなるということが問題として上げられる。
【０００３】
ところで、例えば、特許文献１に、ステアリングホイールに振動子を複数設け、把持部を把持している運転者の手には、把持部の左から把持部の右に向かって右方向に振動源が移動するような触刺激を伝達することによってナビゲートする技術が記載されている。また、例えば、特許文献２に、車両用シートに複数の振動子を設け、自車両の移動方向ら対応する複数の振動素子を移動方向に応じた順序で振動させ、運転者に運動方向を示す技術が記載されている。
【先行技術文献】
【特許文献】
【０００４】
【特許文献１】国際公開２０１１／０７１０４４号公報
【特許文献２】特開２００９−０３１９４６号公報
【発明の概要】
【発明が解決しようとする課題】
【０００５】
上記したように、振動を利用して運転者に操作情報等を与える技術が、特許文献１、特許文献２に記載されているが、携帯情報機器において、表示内容の全体像が把握できない場合の、これらの技術を用いた効果的な改善方法は得られていない。
【０００６】
本発明は、上記のような事情に鑑みてなされたものであり、全体を一度に視認し難い表示部に表示されるオブジェクトの位置を的確に把握できる、携帯情報機器、携帯情報機器におけるオブジェクトの報知方法、及び携帯情報機器のプログラムを提供することを目的とする。
【課題を解決するための手段】
【０００７】
本発明に係る第１の態様は、
全体を一度に視認し難い表示部を有する表示手段と、
前記表示手段で前記表示部に表示される所定のオブジェクトを特定する特定手段と、
前記表示部において使用者が一度に視認できる表示領域外にある前記特定手段で特定さ
れた前記オブジェクトの方向を示す表示を、使用者が一度に視認できる前記表示領域の一
部に示すことで特定された前記オブジェクトの位置を報知する報知手段と、
を備えたことを特徴とする携帯情報機器を提供する。
【０００８】
本発明の第２の態様は、
全体を一度に視認し難い表示部に表示される所定のオブジェクトを特定するステップと
、
前記表示部において使用者が一度に視認できる表示領域外にある特定された前記オブジ
ェクトの方向を示す表示を、使用者が一度に視認できる前記表示領域の一部に示すことで
特定された前記オブジェクトの位置を報知するステップと、
を含む携帯情報機器におけるオブジェクトの報知方法を提供する。
【０００９】
本発明の第３の態様は、
全体を一度に視認し難い表示部に表示される所定のオブジェクトを特定する機能と、
前記表示部において使用者が一度に視認できる表示領域外にある特定された前記オブジ
ェクトの方向を示す表示を、使用者が一度に視認できる前記表示領域の一部に示すことで
特定された前記オブジェクトの位置を報知する機能と、
を実現することを特徴とする携帯情報機器のプログラムを提供する。
【発明の効果】
【００１０】
本発明によれば、全体を一度に視認し難い表示部に表示されるオブジェクトの位置を的確に把握できる、携帯情報機器、携帯情報機器におけるオブジェクトの報知方法、及び携帯情報機器のプログラムを提供することができる。
【図面の簡単な説明】
【００１１】
【図１】本発明の実施の形態に係る携帯情報端末の外観構成を示す図である。
【図２】本発明の実施の形態に係る携帯情報端末の内部構成を示すブロック図である。
【図３】実施例１の動作を示すフローチャートである。
【図４】実施例２の動作を示すフローチャートである。
【図５】実施例２における特定オブジェクトの報知形態を画面上に示した図である。
【発明を実施するための形態】
【００１２】
以下、添付図面を参照して、本発明を実施するための形態（以下、単に、本実施形態という）について詳細に説明する。なお、実施形態の説明の全体を通して同じ要素には同じ番号または符号を付している。
【００１３】
（実施形態の構成）
本実施形態に係る携帯情報機器として、ここでは、ユーザの腕に装着されるリスト端末１を例示する。図１にその外観を示すリスト端末１は、外側に、表示部１２として、曲面形状の画像表示面を有するＬＣＤ（液晶）やＯＬＥＤ（有機ＥＬ）等のフレキシブルな表示デバイス（以下、曲面表示デバイス１２０という）が実装されている。ここでは、曲面表示デバイス１２０の表示面が腕の半周以上にわたって実装されており、したがって、使用者の観点からは、腕に隠れる表示画面領域が発生するため、表示画面全体を一度に視認することができない。
【００１４】
また、リスト端末１の内側には、振動出力部１３として、使用者の腕に振動刺激を伝える振動素子１３０（刺激素子）が２つ以上、異なる位置に設けられている。ここでは、皮膚上に２点の振動刺激を与えた場合、刺激が融合して２点の間の点に振動を知覚する「ファントムセンセーション技術」を利用するものとする。このファントムセンセーション技術によれば、２か所の刺激の強さのバランスを制御することで振動を知覚する位置を変化させることができる。
【００１５】
図２に、リスト端末１の内部構成が示されている。図２によれば、リスト端末１は、端末本体部１０に、操作部１１と、表示部１２と、振動出力部１３とが周辺デバイスとして接続されている。端末本体部１０は、全体を一度に視認し難い表示部１２（曲面表示デバイス１２０）に表示される所定のオブジェクトを特定する機能と、表示部１２（曲面表示デバイス１２０）の有効画面領域中、もしくは有効画面領域外にある特定されたオブジェクトの位置を報知する機能と、を実行する。
【００１６】
なお、ここで、「有効画面領域」とは、使用者が一度に視認できる表示領域のことをいい、「有効画面領域外」とは、使用者の腕に隠れてスクロールさせないと視認しにくい領域、及び、画面の外に仮想的に存在する領域のことをいう。
この画面の外に仮想的に存在する領域とは、例えば、地図などを画面上に開いている時に、画面内に収まりきらない部分のように、仮想的に存在している画面外の領域のことである。
【００１７】
端末本体部１０は、上記した機能を実現するために、例えば、マイクロプロセッサを内蔵した制御部１０１を制御中枢とし、メモリ１０２と、タッチパネルドライバ１０３と、表示ドライバ１０４と、振動素子ドライバ１０５とを含み構成される。
【００１８】
メモリ１０２には、端末本体部１０が上記した機能を実現するための本実施形態に係る携帯情報端末のプログラムが記録されている。また、メモリ１０２の一部領域には、ＶＲＡＭ（Video  RAM）領域が割り当てられており、その中に特定されたオブジェクトを含む少なくとも１画面分の画像情報が記憶されている。制御部１０１は、メモリ１０２に記録されたプログラムを逐次読み出し実行することにより、振動出力部１３（振動素子１３０）によって使用者の体表面に刺激を与えることで特定されたオブジェクトの位置を報知し、刺激位置と感じる位置を変化させるように、異なる位置の２つの振動素子１３０の体表面に与える刺激の強さを制御する。なお、振動素子１３０に代えてペルチェ素子などを用いた温刺激で代替してもよい。
【００１９】
制御部１０１は、特定されたオブジェクトの位置を報知するにあたり、上記した振動刺激や温刺激に代えて表示部１２（曲面表示デバイス１２０）を使用してもよい。例えば、表示部１２（曲面表示デバイス１２０）の有効画面領域の一部に表示部１２（曲面表示デバイス１２０）の全体像を示す縮小表示を行ない、特定されたオブジェクトが表示部１２（曲面表示デバイス１２０）内のどこに位置するかを縮小表示により報知してもよく、また、表示部１２の有効画面領域内に特定されたオブジェクトの方向を示す表示を行ってもよく、更には、表示部１２の有効画面領域に有効画面領域外にあるオブジェクトの擬似的な透過表示を行なってもよい。なお、制御部１０１は、報知された位置に対する所定の操作を検出すると、画面の移動（スクロール）を行ない、特定されたオブジェクトを表示部１２（曲面表示デバイス１２０）の所定の位置（例えば、画面中央）に表示する制御を行う。なお、スクロールは、上下左右のいずれの方向にも画面移動を可能とする。
【００２０】
タッチパネルドライバ１０３は、操作部１１として端末本体部１０に接続されるタッチパネル１１０を使用者がタッチすることによりその座標データを取り込む制御ハードウエアと制御ソフトウエアとを含む。表示ドライバ１０４は、表示部１２として端末本体部１０に接続される曲面表示デバイス１２０に制御部１０１により生成された画像を表示するための制御ハードウエアと制御ソフトウエアとを含む。表示ドライバ１０４は、メモリ１０２の一部領域に割り当てられたＶＲＡＭ領域に記憶された画像を表示部１２（曲面表示デバイス１２０）の表示タイミングに同期して読み出し、表示部１２（曲面表示デバイス１２０）に出力することで所望の表示を得る。
【００２１】
なお、振動素子ドライバ１０５は、振動出力部１３として端末本体部１０に接続される振動素子１３０を振動させるための制御ハードウエアと制御ソフトウエアとを含む。
【００２２】
タッチパネル１１０は、曲面表示デバイス１２０上に積層配設され、タッチパネル１１０は、使用者の指等でタッチ操作された位置を検知してその座標データを入力するタッチスクリーンを構成し、例えば、静電容量方式、あるいは抵抗膜方式を採用しているが、その他の方式でもよい。曲面表示デバイス１２０は、制御部１０１により生成される画像を表示する出力デバイスである。また、振動素子１３０は、使用者の体表面への振動刺激を付与する電動モータ等の刺激デバイスである。なお、振動素子１３０に代えて使用者の体表面に温刺激を付与するペルチェ素子などを使用してもよい。
【００２３】
（実施形態の動作）
以下、本実施形態に係る携帯情報端末の動作について実施例毎、詳細に説明する。まず、図３のフローチャートを用いて実施例１の動作を説明する。
【００２４】
実施例１．
ここでは、あらかじめ、位置を報知させるためのオブジェクトが設定登録により特定されているものとする。特定されるオブジェクト（以下、特定オブジェクトともいう。）としては、使用頻度の高いアイコン、地図、Ｗｅｂページ、時刻表示等がある。また、地図を表示している時に目的地や現在地を特定オブジェクトとしてもよい。オブジェクトの特定は、デフォルトで設定されたり、あるいはユーザが自分で設定できるものとする。さらに、例えば、メール等を受信した場合にメールのアイコンを特定オブジェクトとして自動的に報知するように設定登録してもよい。
【００２５】
制御部１０１は、使用者によるタッチパネル１１０のタッチ操作（タップによるクリック操作、ドラッグによるスクロール操作等）を常時監視している。
図３によれば、制御部１０１は、上記で述べた予め設定されている特定オブジェクトの座標位置である場所情報を取得する（ステップＳ１０１）。そして、取得した特定オブジェクトの場所情報にしたがい、その場所を知覚させるように、振動素子ドライバ１０５により振動素子１３０を振動させるための制御を行う（ステップＳ１０２）。この場合、ユーザがタッチパネル１１０でタップやクリック操作、あるいは、表示画面上の特定箇所に触れた時に振動素子を振動させるようにしてもよい。
【００２６】
すなわち、ステップＳ１０２で、制御部１０１は、振動素子１３０を制御して、特定オブジェクトの位置が振動しているような感覚刺激を腕に伝え、表示部１２（曲面表示デバイス１２０）の有効画面領域外にある使用者の視点から認識できない領域に表示されているオブジェクトの位置を報知する。
【００２７】
続いて、制御部１０１は、振動した位置（特定オブジェクトの位置）のタッチ入力、つまり、使用者がタッチしたのを検出すると（ステップＳ１０３“ＹＥＳ”）、表示部１２（曲面表示デバイス１２０）の画面スクロール制御を行ない、報知された特定オブジェクトの位置が有効画面領域の中央部（所定の位置）になるように有効画面領域の移動制御を行う（ステップＳ１０４）。なお、スクロール制御は、制御部１０１がメモリ１０２に割り当てられたＶＲＡＭ領域の画像を書替えることにより実行される。スクロールにより特定オブジェクトの位置が移動する場合は、その画像の移動に追従して振動箇所も移動する。
【００２８】
実施例１によれば、例えば、表示部１２（曲面表示デバイス１２０）の有効画面領域に現在地を含む地図表示がされており、目的地が画面内に収まっていない、つまり、有効画面領域外における画面の外に仮想的に存在する領域にある場合、その目的地が特定オブジェクトに設定されていると、表示画面内において目的地に最も近い表示部１２（曲面表示デバイス）の位置を知覚させるように振動出力部１３（振動素子１３０）を振動させて使用者に知覚させる。
より具体的には、画面の右端よりも外となる位置に目的地が仮想的に存在している場合、その画面の右端の位置を振動させて使用者に知覚させる。また、この時、特定オブジェクトである目的地が、画面（有効画面領域）から遠い場合は、弱く画面の右端の位置を振動させ、近い場合は強く画面の右端の位置を振動させるなどして、目的地がどの程度有効画面領域から外れた位置にいるのかを知らせるようにしてもよい。なお、振動の強弱に限定されるものではなく、例えば、振動のリズム等を変化させるようにして、特定オブジェクトである目的地が、どの程度有効画面領域から外れているかを表現することも可能である。
【００２９】
実施例２．
実施例１は、振動出力部１３（振動素子１３０）を備え、端末本体部１０（報知手段）が、振動出力部１３（振動素子１３０）によって体表面に刺激を与えることで、特定オブジェクトの位置を報知した。以下に説明する実施例２では、報知を振動出力部１３（振動素子１３０）に代えて表示部１２（曲面表示デバイス１２０）で行う。
【００３０】
すなわち、以下に説明する実施例２では、図２に示すリスト端末１の内部構成のうち、振動出力部１３（振動素子１３０）および振動素子ドライバ１０５が不要になる。その他の構成は実施例１と同様である。以下、図４のフローチャートを参照しながら、実施例２の動作について詳細に説明する。但し、上記で説明した振動刺激や温刺激を用いた報知を行わないことに限定されるものではなく、必要に応じて、振動刺激や温刺激による報知手段をさらに加えるようにしてもよい。
【００３１】
ここでも実施例１同様、あらかじめ、位置を報知させるためのオブジェクトが特定されているものとする。なお、制御部１０１は、使用者によるタッチパネル１１０のタッチ操作を常時監視している。図４によれば、制御部１０１は、特定オブジェクトの場所情報（座標位置）を取得する（ステップＳ２０１）。次に、制御部１０１は、取得した特定オブジェクトの場所情報にしたがい、表示部１２（曲面表示デバイス１２０）の有効画面領域の一部にその場所を知らせるための表示を行う（ステップＳ２０２）。
【００３２】
ステップＳ２０２で、特定オブジェクトが表示部１２（曲面表示デバイス１２０）内のどこに位置するかを報知するための具体的な表示方法が図５（ａ）（ｂ）（ｃ）に３例示されている。例えば、図５（ａ）に示すように、表示部１２（曲面表示デバイス１２０）の一部領域（有効画面領域１２ａ）に、縮小表示した全体像Ａを表示し、その中で有効画面領域外１２ｂにある特定オブジェクトの位置を報知する。図５（ａ）では、縮小表示された全体像Ａの中で、太枠表記した領域が有効画面領域１２ａを示し、有効画面領域外１２ｂにある特定オブジェクトの位置がハッチング表記されている。
【００３３】
また、例えば、図５（ｂ）に示す矢印Ｂのような表示で、有効画面領域外１２ｂにある特定オブジェクトの位置を指し示すようにしてもよい。なお、図５（ａ）（ｂ）は、便宜上、点線で示すラインより下の部分がユーザから見えていない領域を示しているものとしている。
さらに、図５（ｃ）に示すように、リスト端末１の裏側に回り込んで見えなくなっている有効画面領域外１２ｂにあるオブジェクトを薄く表示し、有効画面領域１２ａの裏側にあるアイコン等が透けて見えているかのように使用者が感じる表示（透過表示）を表示部１２（曲面表示デバイス１２０）に表示してもよい。
【００３４】
説明を図４のフローチャートに戻すと、上記のような表示をもとに使用者は報知された特定オブジェクトの位置のタッチを行い、制御部１０１が、タッチ操作を検出すると（ステップＳ２０３“ＹＥＳ”）、曲面表示デバイス１２０の画面スクロール制御を行ない、報知された特定オブジェクトの位置が有効画面領域１２ａの中央部（所定の位置）に移動するように有効画面領域のスクロール制御を行う（ステップＳ２０４）。また、上記では特定オブジェクトの位置のタッチを行なった場合としたが、これに代わって、縮小表示された全体像Ａ、矢印Ｂ、あるいは透過表示アイコンにタッチした場合としてもよい。なお、スクロール制御は、制御部１０１がメモリ１０２に割り当てられたＶＲＡＭ領域の内容を書替えることにより実行される。
【００３５】
（実施形態の効果）
以上説明のように本実施形態に係る携帯情報機器（リスト端末１）によれば、制御部１０１が、全体を一度に視認し難い表示部１２（曲面表示デバイス１２０）に表示される所定のオブジェクトを特定し、表示部１２（曲面表示デバイス１２０）の有効画面領域１２ａ中、もしくは有効画面領域外１２ｂにある特定オブジェクトの位置を報知することにより、使用者の視点から認識できない位置にあるような有効画面領域外に特定オブジェクトがあってもその位置を容易に把握できるようになり、操作性が向上するとともに使い勝手が向上する。また、有効画面領域外１２ｂにあって使用者の視点から認識できない位置にあるオブジェクトの位置を、振動刺激、あるいは温刺激により報知することで、使用者は直感的にそのオブジェクトの位置を把握することができ、その刺激のある場所をタッチ操作するだけで、そのタッチされたオブジェクトが画面の所定の位置（使用者から見える位置）になるようにスクロールされる。
【００３６】
また、振動刺激、温刺激に代えて、表示部１２（曲面表示デバイス１２０）の有効画面領域１２ａの一部に、有効画面領域外１２ｂを含む全体像を縮小表示して、その縮小表示中に特定オブジェクトの位置を表示したり、特定オブジェクトが存在する方向を示す表示を有効画面領域１２ａに表示したり、あるいは、隠れている箇所が透けて見えるように感じるような透過表示を行ない報知することで、簡単に、使用者は特定オブジェクトの位置を把握することができ、その把握した位置をタッチ操作するだけで、そのオブジェクトが画面の所定の位置（使用者から見える位置）になるようにスクロールされるので、操作性が向上するとともに使い勝手の向上を図ることができる。
【００３７】
なお、特定するオブジェクトが複数になる場合、オブジェクトに番号付けして設定登録しておけば、表示部１２（曲面表示デバイス１２０）の一部に表示されたオブジェクトに対応する番号を特定したときに、その位置を報知することができる。なお、表示部１２（曲面表示デバイス１２０）に表示されている時計は、表示部１２（曲面表示デバイス１２０）に表示されているものとして説明したが、時計については、実物の時計を嵌め込んだもので代替してもよい。
【００３８】
また、本実施形態に係る携帯情報機器としてリスト端末１のみ例示したが、リスト端末１に限らず、全体を一度に視認し難い表示部１２を有する全ての携帯情報機器への適用が可能である。例えば、表示領域が表面と裏面とにある場合、あるいは複数ページに渡っている場合などである。
【００３９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またそのような変更または改良を加えた形態も本発明の技術的範囲に含まれ得ることが、特許請求の範囲の記載から明らかである。
【００４０】
以下に、この出願の願書に最初に添付した特許請求の範囲に記載した発明を付記する。付記に記載した請求項の項番は、この出願の願書に最初に添付した特許請求の範囲の通りである。
【００４１】
〔付記〕
［請求項１］
全体を一度に視認し難い表示部を有する表示手段と、
前記表示手段で前記表示部に表示される所定のオブジェクトを特定する特定手段と、    前記表示部において使用者が一度に視認できる表示領域外にある前記特定手段で特定された前記オブジェクトの位置を報知する報知手段と、
を備えたことを特徴とする携帯情報機器。
［請求項２］
刺激素子をさらに備え、
前記報知手段が、前記刺激素子によって体表面に刺激を与えることで特定された前記オブジェクトの位置を報知することを特徴とする請求項１に記載の携帯情報機器。
［請求項３］
前記刺激素子が、２つ以上であるとともに、異なる位置に設けられ、
前記報知手段が、刺激位置と感じる位置を変化させるように、異なる位置の２つの前記刺激素子の体表面に与える刺激の強さを制御することを特徴とする請求項２に記載の携帯情報機器。
［請求項４］
前記刺激が前記体表面への振動刺激であることを特徴とする請求項２または請求項３に記載の携帯情報機器。
［請求項５］
前記刺激が前記体表面への温刺激であることを特徴とする請求項２または請求項３に記載の携帯情報機器。
［請求項６］
前記表示部が、使用者が一度に視認できる前記表示領域の一部に前記表示部の全体像を示す縮小表示を行ない、
前記報知手段が、特定された前記オブジェクトの位置を前記縮小表示中に示すことで報知することを特徴とする請求項１から請求項５のいずれか１項に記載の携帯情報機器。
［請求項７］
前記報知手段が、特定された前記オブジェクトの方向を示す表示を使用者が一度に視認できる前記表示領域の一部に示すことで特定された前記オブジェクトの位置を報知することを特徴とする請求項１から請求項５のいずれか１項に記載の携帯情報機器。
［請求項８］
前記報知手段が、特定された前記オブジェクトが擬似的に透けて見える表示で示すことで報知することを特徴とする請求項１から請求項５のいずれか１項に記載の携帯情報機器。
［請求項９］
前記表示部の所定の位置に特定された前記オブジェクトを表示するように画面を移動する移動手段をさらに備え、
前記移動手段が、前記報知された位置に対する所定の操作を行うことで、前記画面を移動し、特定された前記オブジェクトを前記表示部の所定の位置に表示することを特徴とする請求項１から請求項７のいずれか１項に記載の携帯情報機器。
［請求項１０］
全体を一度に視認し難い表示部に表示される所定のオブジェクトを特定するステップと、
前記表示部において使用者が一度に視認できる表示領域外にある特定された前記オブジェクトの位置を報知するステップと、
を含む携帯情報機器におけるオブジェクトの報知方法。
［請求項１１］
全体を一度に視認し難い表示部に表示される所定のオブジェクトを特定する機能と、
前記表示部において使用者が一度に視認できる表示領域外にある特定された前記オブジェクトの位置を報知する機能と、
を実現することを特徴とする携帯情報機器のプログラム。
【符号の説明】
【００４２】
１…携帯情報端末（リスト端末）、１０…端末本体部、１１…操作部、１２…表示部、１２ａ…有効画面領域、１３…振動出力部、１０１…制御部、１０２…メモリ、１０３…タッチパネルドライバ、１０４…表示ドライバ、１０５…振動素子ドライバ、１１０…タッチパネル、１２０…曲面表示デバイス、１３０…振動素子
【図１】
2018139143.tif 000003
【図２】
2018139143.tif 000004
【図３】
2018139143.tif 000005
【図４】
2018139143.tif 000006
【図５】
2018139143.tif 000007
【手続補正書】
【提出日】平成30年6月12日(2018.6.12)
【手続補正２】
【補正対象書類名】明細書
【補正対象項目名】０００１
【補正方法】変更
【補正の内容】
【０００１】
本発明は、情報機器、情報機器におけるオブジェクトの報知方法、及び情報機器のプログラムに関する。
【手続補正３】
【補正対象書類名】明細書
【補正対象項目名】０００６
【補正方法】変更
【補正の内容】
【０００６】
本発明は、上記のような事情に鑑みてなされたものであり、全体を一度に視認し難い表示部に表示されるオブジェクトの位置を的確に把握できる、情報機器、情報機器におけるオブジェクトの報知方法、及び情報機器のプログラムを提供することを目的とする。
【手続補正４】
【補正対象書類名】明細書
【補正対象項目名】０００７
【補正方法】変更
【補正の内容】
【０００７】
本発明に係る第１の態様は、
全体を一度に視認し難い表示部を有する表示手段と、
前記表示手段で前記表示部に表示される所定のオブジェクトを特定する特定手段と、
前記表示部において使用者が一度に視認できる表示領域の外にある前記特定手段で特定された前記オブジェクトの方向を示す表示を、使用者が一度に視認できる前記表示領域の一部に示すことで特定された前記オブジェクトの位置を報知する報知手段と、
を備えたことを特徴とする情報機器を提供する。
【手続補正５】
【補正対象書類名】明細書
【補正対象項目名】０００８
【補正方法】変更
【補正の内容】
【０００８】
本発明の第２の態様は、
全体を一度に視認し難い表示部に表示される所定のオブジェクトを特定するステップと、
前記表示部において使用者が一度に視認できる表示領域の外にある特定された前記オブジェクトの方向を示す表示を、使用者が一度に視認できる前記表示領域の一部に示すことで特定された前記オブジェクトの位置を報知するステップと、
を含む情報機器におけるオブジェクトの報知方法を提供する。
【手続補正６】
【補正対象書類名】明細書
【補正対象項目名】０００９
【補正方法】変更
【補正の内容】
【０００９】
本発明の第３の態様は、
全体を一度に視認し難い表示部に表示される所定のオブジェクトを特定する機能と、
前記表示部において使用者が一度に視認できる表示領域の外にある特定された前記オブジェクトの方向を示す表示を、使用者が一度に視認できる前記表示領域の一部に示すことで特定された前記オブジェクトの位置を報知する機能と、
を実現することを特徴とする情報機器のプログラムを提供する。
【手続補正７】
【補正対象書類名】明細書
【補正対象項目名】００１０
【補正方法】変更
【補正の内容】
【００１０】
本発明によれば、全体を一度に視認し難い表示部に表示されるオブジェクトの位置を的確に把握できる、情報機器、情報機器におけるオブジェクトの報知方法、及び情報機器のプログラムを提供することができる。
【手続補正８】
【補正対象書類名】特許請求の範囲
【補正対象項目名】全文
【補正方法】変更
【補正の内容】
【特許請求の範囲】
【請求項１】
全体を一度に視認し難い表示部を有する表示手段と、
前記表示手段で前記表示部に表示される所定のオブジェクトを特定する特定手段と、
前記表示部において使用者が一度に視認できる表示領域の外にある前記特定手段で特定された前記オブジェクトの方向を示す表示を、使用者が一度に視認できる前記表示領域の一部に示すことで特定された前記オブジェクトの位置を報知する報知手段と、
を備えたことを特徴とする情報機器。
【請求項２】
全体を一度に視認し難い表示部を有する表示手段と、
前記表示手段で前記表示部に表示される所定のオブジェクトを特定する特定手段と、
前記表示部において使用者が一度に視認できる表示領域の外にある前記特定手段で特定された前記オブジェクトの位置を報知する報知手段と、
を備え、
前記表示部が、使用者が一度に視認できる前記表示領域の一部に前記表示部の全体像を示す縮小表示を行ない、
前記報知手段が、特定された前記オブジェクトの位置を前記縮小表示中に示すことで報知することを特徴とする情報機器。
【請求項３】
全体を一度に視認し難い表示部を有する表示手段と、
前記表示手段で前記表示部に表示される所定のオブジェクトを特定する特定手段と、
前記表示部において使用者が一度に視認できる表示領域の外にある前記特定手段で特定された前記オブジェクトが擬似的に透けて見える表示で示すことで、特定された前記オブジェクトの位置を報知する報知手段と、
を備えたことを特徴とする情報機器。
【請求項４】
全体を一度に視認し難い表示部を有する表示手段と、
前記表示手段で前記表示部に表示される所定のオブジェクトを特定する特定手段と、
前記表示部において使用者が一度に視認できる表示領域の外にある前記特定手段で特定された前記オブジェクトの位置を報知する報知手段と、
前記報知された位置に対する所定の操作を行うことで、画面を移動し、特定された前記オブジェクトを前記表示部の所定の位置に表示する移動手段と、
を備えたことを特徴とする情報機器。
【請求項５】
全体を一度に視認し難い表示部に表示される所定のオブジェクトを特定するステップと、
前記表示部において使用者が一度に視認できる表示領域の外にある特定された前記オブジェクトの方向を示す表示を、使用者が一度に視認できる前記表示領域の一部に示すことで特定された前記オブジェクトの位置を報知するステップと、
を含む情報機器におけるオブジェクトの報知方法。
【請求項６】
全体を一度に視認し難い表示部に表示される所定のオブジェクトを特定するステップと、
前記表示部において使用者が一度に視認できる表示領域の外にある特定された前記オブジェクトの位置を報知するステップと、
を含み、
前記表示部が、使用者が一度に視認できる前記表示領域の一部に前記表示部の全体像を示す縮小表示を行ない、
前記報知するステップにおいて、特定された前記オブジェクトの位置を前記縮小表示中に示すことで報知することを特徴とする情報機器におけるオブジェクトの報知方法。
【請求項７】
全体を一度に視認し難い表示部に表示される所定のオブジェクトを特定するステップと、
前記表示部において使用者が一度に視認できる表示領域の外にある特定された前記オブジェクトが擬似的に透けて見える表示で示すことで、特定された前記オブジェクトの位置を報知するステップと、
を含む情報機器におけるオブジェクトの報知方法。
【請求項８】
全体を一度に視認し難い表示部に表示される所定のオブジェクトを特定するステップと、
前記表示部において使用者が一度に視認できる表示領域の外にある特定された前記オブジェクトの位置を報知するステップと、
前記報知された位置に対する所定の操作を行うことで、画面を移動し、特定された前記オブジェクトを前記表示部の所定の位置に表示する移動ステップと、
を含む情報機器におけるオブジェクトの報知方法。
【請求項９】
全体を一度に視認し難い表示部に表示される所定のオブジェクトを特定する機能と、
前記表示部において使用者が一度に視認できる表示領域の外にある特定された前記オブジェクトの方向を示す表示を、使用者が一度に視認できる前記表示領域の一部に示すことで特定された前記オブジェクトの位置を報知する機能と、
を実現することを特徴とする情報機器のプログラム。
【請求項１０】
全体を一度に視認し難い表示部に表示される所定のオブジェクトを特定する機能と、
前記表示部において使用者が一度に視認できる表示領域の外にある特定された前記オブジェクトの位置を報知する機能と、
を実現し、
前記表示部が、使用者が一度に視認できる前記表示領域の一部に前記表示部の全体像を示す縮小表示を行ない、
前記報知する機能において、特定された前記オブジェクトの位置を前記縮小表示中に示すことで報知することを特徴とする情報機器のプログラム。
【請求項１１】
全体を一度に視認し難い表示部に表示される所定のオブジェクトを特定する機能と、
前記表示部において使用者が一度に視認できる表示領域の外にある特定された前記オブジェクトが擬似的に透けて見える表示で示すことで、特定された前記オブジェクトの位置を報知する機能と、
を実現することを特徴とする情報機器のプログラム。
【請求項１２】
全体を一度に視認し難い表示部に表示される所定のオブジェクトを特定する機能と、
前記表示部において使用者が一度に視認できる表示領域の外にある特定された前記オブジェクトの位置を報知する機能と、
前記報知された位置に対する所定の操作を行うことで、画面を移動し、特定された前記オブジェクトを前記表示部の所定の位置に表示する移動機能と、
を実現することを特徴とする情報機器のプログラム。